(57)【特許請求の範囲】
【請求項１】
平均粒径１０〜５０μｍの無機質充填剤中に存在する２μｍ以下の微細粒子を除去した後、これに平均粒径が０．１〜２μｍでかつＢＥＴ法（窒素吸着法）による比表面積が３〜１０ｍ2／ｇの粒子を添加して平均粒径が５〜４０μｍである無機質充填剤を得ることを特徴とする無機質充填剤の製造方法。
【請求項２】
上記平均粒径０．１〜２μｍで比表面積が３〜１０ｍ2／ｇの粒子の添加量が、上記２μｍ以下の微細粒子を除去した後の無機質充填剤１００重量部に対して１〜３０重量部である請求項１記載の無機質充填剤の製造方法。
【請求項３】
請求項１又は２記載の製造方法によって無機質充填剤を得た後、この無機質充填剤をエポキシ樹脂及び硬化剤と混練することを特徴とするエポキシ樹脂組成物の製造方法。
【請求項４】
無機質充填剤の配合量が、エポキシ樹脂と硬化剤の総量１００重量部に対して２５０〜９００重量部である請求項３記載のエポキシ樹脂組成物の製造方法。
【発明の詳細な説明】
【０００１】
【発明の属する技術分野】
本発明は、エポキシ樹脂組成物等の樹脂組成物に高充填した場合においても該樹脂組成物を高粘度化させず、溶融粘度が低く、成形性の良好な樹脂組成物を与えることが可能な新規無機質充填剤の製造方法及びこの無機質充填剤を配合したエポキシ樹脂組成物の製造方法に関する。
【０００２】
【従来の技術及び発明が解決しようとする課題】
従来、半導体封止用に使用されるエポキシ樹脂組成物としては、無機質充填剤の含有量が８０重量％以下のものが使用されていた。ところが、最近では耐半田リフロー性を改善するため、低粘度樹脂を主成分とし、これに多量の無機質充填剤を配合して吸水率を低下させる手法が主流となってきている。このような充填剤を高充填した樹脂成分の非常に少ない樹脂組成物を従来公知の連続混練装置で製造する場合、樹脂と充填剤の濡れが不十分となり、粘度が高く、成形性の悪い組成物が得られる。本発明者は、この点に関し検討した結果、充填剤の比表面積が１０ｍ２／ｇを超え、粒径が２μｍ以下、特に０．５μｍ以下の充填剤が多く含有されているような無機質充填剤を使用すると、成形性の低下が顕著になる。また、通常製造される充填剤はロットにより１μｍ以下の粒子の含有量が微妙に異なり、成形性が充填剤のロットに依存するといった問題があることを知見した。このような不具合を改善するため、連続混練装置のスクリューデザインの変更や練り時間の延長などで対応してきたが、この方法は生産性が低く、コストアップに結果するため望ましいものではない。
【０００３】
従って、上記のような無機質充填剤を高充填した場合の問題点を解決することが望まれた。
【０００４】
本発明は上記要望に応えるためになされたもので、各種樹脂組成物に高充填しても樹脂組成物の溶融粘度を低く保ち、良好な成形性を与える無機質充填剤の製造方法、及びかかる充填剤が配合されたエポキシ樹脂組成物の製造方法を提供することを目的とする。
【０００５】
【課題を解決するための手段及び発明の実施の形態】
本発明者は、上記目的を達成するため鋭意検討を行った結果、粒径が２μｍ以下の微細粒子を分級や湿式による篩分けで除去した後、粒径、粒度分布及び比表面積が制御されている微細な粒子を再度添加することで、安定した流動特性及び成形性をもった液状あるいは固形粉末状のエポキシ樹脂組成物などの樹脂組成物を得ることができることを見出したものである。
【０００６】
即ち、最近の薄型パッケージ及び多ピンの大型パッケージを成形する場合、封止用樹脂組成物の流動特性が大きく影響する。封止材としての樹脂組成物においては、充填性の向上と低吸水化の両立を図るため、非常に細かな平均粒径が１μｍ以下、望ましくは０．５μｍ以下の充填剤を多量に含有する球状の充填剤を添加する傾向にある。この種の球状充填剤は、珪石を粉砕し微粉化した後、この粉末を火炎中で溶融球状化する方法で主に製造されている。この方法では２μｍ以下、特に０．５μｍ以下の微細な球状充填剤の含有量を制御することが難しく、充填剤のロット毎に含有量が異なることも珍しくない。また、製造条件の微妙な変化によっては２μｍ以下の微細な充填剤の粒度分布が変わってくることもある。このような微細な充填剤の変動は、エポキシ樹脂組成物の流動特性や成形特性に大きな影響を及ぼしている。このような状況を改善するため、無機質充填剤に予め存在する２μｍ以下の比表面積の大きな微細な粒径の粒子を除去した後、平均粒径が０．１〜２μｍでかつ比表面積が３〜１０ｍ２／ｇに制御された微細粒子を添加することで、上記した不具合の全くないエポキシ樹脂組成物等の樹脂組成物が得られることを知見し、本発明をなすに至った。
【０００７】
従って、本発明は、
（１）平均粒径１０〜５０μｍの無機質充填剤中に存在する２μｍ以下の微細粒子を除去した後、これに平均粒径が０．１〜２μｍでかつＢＥＴ法（窒素吸着法）による比表面積が３〜１０ｍ2／ｇの粒子を添加して平均粒径が５〜４０μｍである無機質充填剤を得ることを特徴とする無機質充填剤の製造方法、
（２）上記平均粒径０．１〜２μｍで比表面積が３〜１０ｍ2／ｇの粒子の添加量が、上記２μｍ以下の微細粒子を除去した後の無機質充填剤１００重量部に対して１〜３０重量部である上記（１）記載の無機質充填剤の製造方法、
（３）上記（１）又は（２）記載の製造方法によって無機質充填剤を得た後、この無機質充填剤をエポキシ樹脂及び硬化剤と混練することを特徴とするエポキシ樹脂組成物の製造方法、
（４）無機質充填剤の配合量が、エポキシ樹脂と硬化剤の総量１００重量部に対して２５０〜９００重量部である上記（３）記載のエポキシ樹脂組成物の製造方法
を提供する。
【０００８】
以下、本発明につき更に詳しく説明する。
本発明の無機質充填剤は、上述したように、無機質充填剤に予め存在する２μｍ以下の微細な粒径の粒子を除去した後、平均粒径が０．１〜２μｍでかつ比表面積が３〜１０ｍ２／ｇの粒子を添加したものである。
【０００９】
ここで、最初の無機質充填剤としては、平均粒径が１０〜５０μｍ、特に１５〜４０μｍのものを使用することが好ましい。平均粒径が１０μｍより小さい場合は、粒径が細かくなりすぎて多量に充填した場合、エポキシ樹脂組成物の粘度が高くなり、成形性が悪くなる場合があり、平均粒径が５０μｍより大きい場合は、硬化物の強度が低下する場合がある。また、２μｍ以下の微細粒子の含有量が０．５〜２５％（重量％、以下同様）、特に０．５〜１５％のものを使用することが、除去の容易さやコストの点より好ましい。更に、最初の無機質充填剤は全体としてＢＥＴ法（窒素吸着法）による比表面積が０．５〜４ｍ２／ｇ、特に０．５〜３ｍ２／ｇであるものを用いることが好ましい。
【００１０】
本発明においては、この最初の無機質充填剤中に存在する２μｍ以下の微細粒子を除去する。
【００１１】
この種の微細粒子の除去方法としては、上記した充填剤の製造時にサイクロンなどの分級装置や湿式篩などにより微細粒子を除去することができる。ここで除去される微細粒子としては２μｍ以下、特に粒径が非常に小さな０．１μｍ以下で比表面積が５０ｍ２／ｇ以上のものが含まれる。この微細粒子の含有量は充填剤の製造ロットによっても変動し、微量の変動でも比表面積が大きいことから成形特性に及ぼす影響も非常に大きいものである。このため、安定した成形特性を得るためには、この種の微細粒子の含有量を制御することが非常に重要なことであることを見出したものである。
【００１２】
本発明は、次いで、このように２μｍ以下の微細粒子を除去した無機質充填剤に対し、制御された微細粒子を添加することで、樹脂組成物に高充填しても安定した成形特性が得られるものである。
【００１３】
ここで、制御された微細粒子としては、平均粒径が０．１〜２μｍ、好ましくは０．３〜２μｍ、更に好ましくは０．５〜１．５μｍで、ＢＥＴ法（窒素吸着法）による比表面積が３〜１０ｍ２／ｇ、特に４〜７ｍ２／ｇのものである。このような制御された粒子としては、市販品として（株）アドマテックス製のＳＯ２５、ＳＯ３２などの平均粒径が０．３〜２μｍ、比表面積が３〜１０ｍ２／ｇの球状シリカやアルミナなどの充填剤が望ましい。またゾルゲル法で製造することができる同様な特性を示す球状微細粒子も使用可能である。本充填剤は金属ケイ素を火炎中で燃焼させ酸化する方法で製造され、粒度分布や比表面積を容易に制御できるものである。
【００１４】
このように、上記制御された粒子が添加されることによって得られる本発明の無機質充填剤は、平均粒径が５〜４０μｍ、特に１０〜３５μｍである。平均粒径が５μｍより小さいと樹脂組成物に充填した場合にこれを高粘度化するために多量に充填できず、一方４０μｍより大きいと粗い粒径が多くなり、ゲート詰まりになる。なお、この無機質充填剤は、好ましくは最大粒径が７４μｍ以下、より望ましくは５０μｍ以下である。
【００１５】
従って、上記平均粒径が０．１〜２μｍで、比表面積が３〜１０ｍ２／ｇの粒子は、上記２μｍ以下の微細粒子を除去した後の無機質充填剤に対し、無機質充填剤が上記平均粒径になる量で添加すればよいが、通常、２μｍ以下の微細粒子を除去した後の無機質充填剤１００部（重量部、以下同様）に対し、１〜３０部、特に５〜２５部である。１部より少ないと微粉が少なく、良好な成形性が得られないばかりか、バリやフラッシュなどが生じやすくなり、また３０部より多いと微粉が多すぎ、粘度が高くなりすぎるおそれがある。
【００１６】
また、本発明の無機質充填剤は、そのＢＥＴ法（窒素吸着法）による比表面積が０．５〜３ｍ２／ｇ、特に０．７〜２ｍ２／ｇであることが、チキソ性も大きくなく、組成物の低粘度化や成形特性の点より好ましい。
【００１７】
以上のような本発明にかかる無機質充填剤は流動特性に大きく影響を及ぼす０．１μｍ以下の微細な充填剤を殆ど含まない粒度の揃った充填剤が得られるものである。
【００１８】
なお、本発明において、粒度分布及び平均粒径はレーザー回折式粒度分布測定装置（例えばシーラス社製Ｇｒａｎｕｌｏｍｅｔｅｒ９２０など）による測定値（例えば重量平均値）である。
【００１９】
ここで、本発明にかかる無機質充填剤の種類は特に制限されず、その使用目的に応じて適宜選定され、例えば溶融シリカ、結晶シリカ、アルミナ、ボロンナイトライド、窒化アルミ、窒化ケイ素、マグネシア、マグネシウムシリケートなどが使用される。半導体素子が発熱の大きい素子の場合、熱伝導率ができるだけ大きくかつ膨張係数の小さなアルミナ、ボロンナイトライド、窒化アルミ、窒化ケイ素などを充填剤として使用することが望ましい。また、溶融シリカなどとブレンドして使用してもよい。なお、充填剤の形状には特に限定はなく、フレーク状、樹枝状、球状等のフィラーを単独でまたは混合して用いることができる。また、これらの充填剤は予めシランカップリング剤やチタン系カップリング剤などで表面処理したものを使用することが好ましい。
【００２０】
本発明の無機質充填剤は、エポキシ樹脂組成物、シリコーン樹脂組成物、フェノール樹脂組成物等の各種樹脂組成物に使用することができるが、特に半導体封止材として用いられるエポキシ樹脂組成物の充填剤として用いることが好ましい。
【００２１】
以下、この点について更に詳述すると、本発明のエポキシ樹脂組成物はエポキシ樹脂、硬化剤、無機質充填剤を必須成分とする。
【００２２】
本発明で使用するエポキシ樹脂としては、従来から公知の１分子あたり２個以上のエポキシ基を持ったものであればいかなるものでも使用することができ、特にビスフェノールＡ型エポキシ樹脂、ビスフェノールＦ型エポキシ樹脂、フェノールノボラック型エポキシ樹脂、クレゾールノボラック型エポキシ樹脂、ナフタレン型エポキシ樹脂、ビフェニル型エポキシ樹脂、シクロペンタジエン型エポキシ樹脂などが例示される。これらエポキシ樹脂の中でもナフタレン型エポキシ樹脂、ビフェニル型エポキシ樹脂、下記構造式で示される液晶構造を有するものが望ましい。
【００２３】
【化１】
0003611066.tif 000002
【００２４】
これらエポキシ樹脂中の全塩素含有量は１，５００ｐｐｍ以下、望ましくは１，０００ｐｐｍ以下であり、また、１２０℃で５０％エポキシ樹脂濃度における２０時間での抽出水塩素が５ｐｐｍ以下であることが好ましい。全塩素含有量が１，５００ｐｐｍより多く、抽出水塩素が５ｐｐｍより多いと、半導体の耐湿信頼性が低下するおそれがある。
【００２５】
本発明の硬化剤としては、フェノール化合物、アミン化合物、酸無水物系化合物などエポキシ樹脂の硬化剤として従来より知られているもの全般が使用できるが、特に１分子中にフェノール性の水酸基を２個以上有するフェノール樹脂であればいかなるものでも使用可能である。特に、フェノールノボラック樹脂、クレゾールノボラック樹脂、フェノールアラルキル樹脂、ナフタレン型フェノール樹脂、シクロペンタジエン型フェノール樹脂や下記構造のフェノール性水酸基を含有するものなどが例示される。
【００２６】
【化２】
0003611066.tif 000003
（式中、Ｒは水素原子又は炭素数１〜４のアルキル基、例えばメチル基、エチル基、ｔｅｒｔ−ブチル基を示す。ｎは０〜５の整数である。）
【００２７】
フェノール樹脂もエポキシ樹脂同様、１２０℃の温度で抽出される塩素イオンやナトリウムイオンなどはいずれも１０ｐｐｍ以下、望ましくは５ｐｐｍ以下であることが好ましい。
【００２８】
エポキシ樹脂とフェノール樹脂の混合割合は、エポキシ基１モルに対しフェノール性水酸基が０．５〜１．６モル、望ましくは０．６〜１．４モルである。０．５モル未満では水酸基が不足し、エポキシ基の単独重合の割合が多くなり、ガラス転移温度が低くなる。また、１．６モルを超えるとフェノール性水酸基の比率が高くなり、反応性が低下するほか、架橋密度が低く十分な強度が得られないものとなるおそれがある。
【００２９】
本発明のエポキシ樹脂組成物には硬化促進剤を配合することができる。硬化促進剤としてはリン系、イミダゾール誘導体、シクロアミジン系誘導体などを使用することができる。促進剤の量としては、エポキシ樹脂とフェノール樹脂の合計量１００部に対し、０．０１〜１０部であることが好ましい。
【００３０】
次に、本発明のエポキシ樹脂組成物において、無機質充填剤としては、上述した無機質充填剤を使用するものである。この場合、その配合量は組成物全体の７０〜９０％、特に８０〜９０％とすることが好ましく、通常エポキシ樹脂と硬化剤の総量１００部に対し２５０〜９００部である。配合量が少なすぎると、膨張係数を十分に下げることができない上、吸水率も多くなり、基板への実装時、半田リフローの際の高温でパッケージにクラックが入ってしまう。一方、配合量が多すぎると粘度が高くなりすぎ、成形できなくなってしまう。望ましくは５００〜８５０部である。
【００３１】
なお、チキソ性付与のため、アエロジルなどの超微粒子シリカを添加することもできる。
【００３２】
本発明の組成物には、従来から公知のシリコーンゴムやゲルなどの粉末、シリコーン変性エポキシ樹脂やシリコーン変性フェノール樹脂、メタクリル酸メチル−ブタジエン−スチレンよりなる熱可塑性樹脂などを低応力化材として添加してもよい。
【００３３】
また、粘度を下げる目的のために、従来より公知のｎ−ブチルグリシジルエーテル、フェニルグリシジルエーテル、スチレンオキサイド、ｔｅｒｔ−ブチルフェニルグリシジルエーテル、ジシクロペンタジエンジエポキシド、フェノール、クレゾール、ｔｅｒｔ−ブチルフェノールのようなエポキシ基やフェノール性水酸基を有する希釈剤を添加することができる。
【００３４】
更に、シランカップリング剤、チタン系カップリング剤、アルミニウム系カップリング剤などのカップリング剤やカーボンブラックなどの着色剤、ノニオン系界面活性剤、フッ素系界面活性剤、シリコーンオイルなどの濡れ向上剤や消泡剤なども場合によっては添加することができる。
【００３５】
製造方法としては、液状エポキシ樹脂組成物の場合は、上記した諸原料を品川ミキサーなどの撹拌混合装置を用い十分混練することで製造することができる。混練温度としては２０〜５０℃が望ましい。一方、粉体の場合は、高速混合機などを用い、均一に混合した後、二本ロールや連続混練装置などで十分混練すればよい。混練温度としては５０〜１１０℃が望ましい。
【００３６】
混練後、薄くシート化し冷却、粉砕することでエポキシ樹脂組成物を製造することができる。本発明の樹脂組成物は一般成形材料として、更に半導体封止材料として利用される。
【００３７】
なお、成形方法としては、トランスファー成形、ポッティング、クリップチップ実装用のアンダーフィル等の方法が採用でき、また硬化温度としてはトランスファー成形の場合は１５０〜１８０℃、ポッティングやアンダーフィルの場合は８０〜１７０℃で、望ましくは１００℃と１５０℃前後の温度でステップキュアーする方が好ましい。
【００３８】
また、本発明のエポキシ樹脂組成物で好適に封止される半導体装置としてはデスクリートデバイス、ＩＣやＬＳＩ、超ＬＳＩなどの高集積デバイス等が挙げられる。
【００３９】
【発明の効果】
本発明の無機質充填剤は、エポキシ樹脂組成物等の樹脂組成物に多量に充填した場合でも樹脂組成物の溶融粘度を低く保ち、良好な成形性を与え、かかる無機質充填剤を配合したエポキシ樹脂組成物は、これで半導体装置を封止した場合、ダイパッド変形、ワイヤー変形などもない高信頼性を与えるものである。
【００４０】
【実施例】
以下、実施例と比較例を示し、本発明を具体的に説明するが、本発明は下記の実施例に制限されるものではない。
【００４１】
〔実施例１〕（シリカの調製）
平均粒径３０．２μｍで比表面積が１．７ｍ２／ｇの球状シリカを水で湿式分級することで９４％の収率で微粉を除去し、平均粒径が３２．１μｍ、比表面積が０．８ｍ２／ｇの球状シリカ（Ａ）を得た。この際除去された微粉シリカ（Ｂ）は、平均粒径が１．５μｍで比表面積が１５ｍ２／ｇであった。ここで得られた球状シリカ（Ａ）に下記で示される微細球状シリカを６重量％添加し、球状シリカを調製した。また、再度微粉シリカ（Ｂ）を（Ａ）に６重量％添加したものも調製した。調製したシリカの特性については表１に示した。
【００４２】
微細球状シリカ：
ＳＯ２５Ｒ（（株）アドマテックス製）
比表面積（ｍ２／ｇ）６．９，平均粒径（μｍ）０．５
ＳＯ２５Ｈ（（株）アドマテックス製）
比表面積（ｍ２／ｇ）４．８，平均粒径（μｍ）０．６
ＳＯ３２Ｒ（（株）アドマテックス製）
比表面積（ｍ２／ｇ）３．４，平均粒径（μｍ）１．７
ＳＯＣ１  （（株）アドマテックス製）
比表面積（ｍ２／ｇ）２６．２，平均粒径（μｍ）０．２
【００４３】
【表１】
0003611066.tif 000004
【００４４】
〔実施例２〜５、比較例１〜３〕
実施例１で調製した７種類のシリカと分級前のシリカをそれぞれ３００ｇ、エポキシ樹脂としてエポキシ当量１６８，粘度３８ポイズ（２５℃）のビスフェノールＦ型エポキシ樹脂；エピコート８０７（シェル（株）製）を１００ｇ、硬化剤として２−フェニルイミダゾールを１．２ｇはかりとり、３０℃で減圧下３０分間十分に混練した。混練後、Ｅ型粘度計を用い、２５℃でずり速度０．６／秒と１０／秒で粘度を測定した。その結果を表２に示す。
【００４５】
また、金線を４５０本接続したＰＬＣＣに８０℃でポッティングし、１１０℃／１時間、更に１５０℃で４時間キュアーさせた後、ＰＬＣＣに対する充填性を評価した。評価は超音波探傷装置で内部ボイドの有無で行った。結果から明らかなように、ずり速度０．６／秒と１０／秒での粘度差の少ない本発明の充填剤を用いたエポキシ樹脂組成物が良好な充填性を示している。
【００４６】
【表２】
0003611066.tif 000005
【００４７】
〔実施例６〜８、比較例４，５〕
ビフェニル型エポキシ樹脂；ＹＸ４０００ＨＫ（油化シェル（株）製）４２．６ｇ、フェノール樹脂；Ｍｙｌｅｘ−３Ｌ（三井東圧化学（株）製）４６．８ｇ、三酸化アンチモン６ｇ、ブロム化エポキシ樹脂；ＢＲＥＮ−Ｓ（日本化薬（株）製）４．２ｇ、カルナバワックス２．６ｇ、トリフェニルホスフィン１．３ｇ、シリカＮｏ．１，２及びＮｏ．４とＮｏ．５をそれぞれ表に記載された重量はかりとり、ヘンシェルミキサーで混合した。その後、連続混練装置で混練することでエポキシ樹脂組成物を得た。エポキシ樹脂組成物の特性を評価し、表３に記した。
【００４８】
【表３】
0003611066.tif 000006
【００４９】
充填量：
エポキシ樹脂と硬化剤との総量１００部に対する配合量（部）
スパイラルフロー：
成形温度１７５℃、成形圧力７０ｋｇ／ｃｍ２でトランスファー成形することでスパイラルフローを測定した。
ゲル化時間：
１７５℃の熱板でエポキシ樹脂組成物がゲルになるまでの時間を測定した。
溶融粘度：
高化式フローテスターを用い、１０ｋｇの加圧下、直径１ｍｍのノズルを用いて温度１７５℃で粘度を測定した。
内部ボイド及び外部ボイド：
ＱＦＰパッケージ（サンプル数＝５）を用い、成形温度１７５℃、成形圧力７０ｋｇｆ／ｃｍ２でトランスファー成形した後、超音波探傷装置を用い、内部ボイドの数を数えた。また、外部ボイドは目視観察することでボイドの数を数えた。ボイドの数は５サンプルの合計数である。
ダイパッド変形：
ＱＦＰパッケージを用い、成形温度１７５℃、成形圧力７０ｋｇｆ／ｃｍ２でトランスファー成形した後、パッケージを切断し、ダイパッドの変形状態を観察した。
ワイヤー変形：
３ｍｍ長の金線を接続したＱＦＰパッケージを用い、成形温度１７５℃、成形圧力７０ｋｇｆ／ｃｍ２でトランスファー成形し、その後軟Ｘ線装置を用いて金線の変形具合を観察した。